(57)【特許請求の範囲】
【請求項１】
患者に対して血液浄化治療を施す装置本体と、
該装置本体内に配設されて血液浄化治療に係わる液体を流通させる流路と、
を具備した血液浄化装置において、
所定寸法離間しつつ対向配設された一対の板材を有し、当該板材の離間部に前記流路が形成されるとともに、当該流路に接続すべきポンプ、弁又はチャンバから成る接続手段が当該板材に支持されたことを特徴とする血液浄化装置。
【請求項２】
前記板材の離間部に充填材を充填させて成ることを特徴とする請求項１記載の血液浄化装置。
【請求項３】
前記充填材は、断熱材から成ることを特徴とする請求項２記載の血液浄化装置。
【請求項４】
前記板材は、硬質樹脂から成ることを特徴とする請求項１〜３の何れか１つに記載の血液浄化装置。
【請求項５】
前記流路は、継手により任意方向に接続された可撓性チューブから成ることを特徴とする請求項１〜４の何れか１つに記載の血液浄化装置。
【発明の詳細な説明】
【技術分野】
【０００１】
本発明は、患者に対して血液浄化治療を施す装置本体を具備した血液浄化装置に関するものである。
【背景技術】
【０００２】
血液透析（ＨＤ）を行うための血液透析装置は、腎機能に障害を生じた患者を治療する装置であり、ダイアライザ等の半透膜を隔てて血液と透析液とを流通させることにより、拡散による溶質除去及び限外濾過による余剰水分除去（除水）を行うよう構成されている。然るに、従来より、装置本体内には、透析液やダイアライザ等からの排液を流通させる可撓性チューブが配設されており、当該可撓性チューブを介してポンプや弁或いはチャンバ等が接続されていた。尚、かかる先行技術は、文献公知発明に係るものでないため、記載すべき先行技術文献情報はない。
【発明の開示】
【発明が解決しようとする課題】
【０００３】
しかしながら、上記従来の血液浄化装置は、装置本体内に配設された可撓性チューブが折れたりして閉塞してしまう虞があるため、当該折れ等を回避すべく可撓性チューブを配設するスペースを比較的大きく設定する必要があり、配管のための容積が増大してしまうという問題があった。また、従来のものは、可撓性チューブが装置本体内で無造作に延設されているため、その取り扱いが困難となっていた。
【０００４】
本発明は、このような事情に鑑みてなされたもので、装置本体内の配管スペースを小さく設定することができるとともに、配管の取り扱いを容易とすることができる血液浄化装置を提供することにある。
【課題を解決するための手段】
【０００５】
請求項１記載の発明は、患者に対して血液浄化治療を施す装置本体と、該装置本体内に配設されて血液浄化治療に係わる液体を流通させる流路とを具備した血液浄化装置において、所定寸法離間しつつ対向配設された一対の板材を有し、当該板材の離間部に前記流路が形成されるとともに、当該流路に接続すべきポンプ、弁又はチャンバから成る接続手段が当該板材に支持されたことを特徴とする。
【０００６】
請求項２記載の発明は、請求項１記載の血液浄化装置において、前記板材の離間部に充填材を充填させて成ることを特徴とする。
【０００７】
請求項３記載の発明は、請求項２記載の血液浄化装置において、前記充填材は、断熱材から成ることを特徴とする。
【０００８】
請求項４記載の発明は、請求項１〜３の何れか１つに記載の血液浄化装置において、前記板材は、硬質樹脂から成ることを特徴とする。
【０００９】
請求項５記載の発明は、請求項１〜４の何れか１つに記載の血液浄化装置において、前記流路は、継手により任意方向に接続された可撓性チューブから成ることを特徴とする。
【発明の効果】
【００１０】
請求項１の発明によれば、所定寸法離間しつつ対向配設された一対の板材を有し、当該板材の離間部に流路が形成されるとともに、当該流路に接続すべきポンプ、弁又はチャンバから成る接続手段が当該板材に支持されたので、板材の離間寸法を流路に応じて適宜設定すれば、装置本体内の配管スペースを小さく設定することができるとともに、配管をユニット化させて取り扱いを容易とすることができる。
【００１１】
請求項２の発明によれば、板材の離間部に充填材を充填させて成るので、当該板材の離間寸法を維持することができるとともに、当該離間部に流路を確実に保持させることができる。
【００１２】
請求項３の発明によれば、充填材は断熱材から成るので、板材の離間寸法を維持することができるとともに当該離間部に流路を確実に保持させることができるのに加え、流路を流通する液体の放熱を抑制することができる。
【００１３】
請求項４の発明によれば、板材は硬質樹脂から成るので、配管の軽量化を図ることができるとともに、剛性を向上させて当該板材に対して接続手段を確実に支持させることができる。
【００１４】
請求項５の発明によれば、流路は、継手により任意方向に接続された可撓性チューブから成るので、従来より用いられていた可撓性チューブを流路として流用することができる。
【発明を実施するための最良の形態】
【００１５】
以下、本発明の実施形態について図面を参照しながら具体的に説明する。
実施形態に係る血液浄化装置は、患者に対して血液浄化治療を施す装置本体を具備し、ダイアライザ等の半透膜を隔てて血液と透析液とを流通させることにより、拡散による溶質除去及び限外濾過による余剰水分除去（除水）を行わせるためのもので、図１に示すように、キャスターＣを底面に具備した装置本体１と、液晶モニタ６とから主に構成されている。尚、本実施形態においては、複数種の治療を行い得る多用途透析装置に適用しているが、これに代えて、患者に対して補液の注入が可能であり且つ上記何れかの治療又は他の治療（血漿交換や二重濾過血漿交換等）を専ら行う専用の装置としてもよい。
【００１６】
装置本体１は、血液透析（ＨＤ）、血液透析濾過（ＨＤＦ）、血液濾過（ＨＦ）又は持続緩徐式血液濾過（ＣＨＦ）等の治療を施すことが可能な血液浄化装置から成り、例えば血液ポンプ２、補液ポンプ３、気泡検出器４、シリンジポンプ５及び液晶モニタ６等、患者に対して血液浄化治療を施すための種々機器を有して構成されている。また、装置本体１の上面１ｂにおいて血液ポンプ２、補液ポンプ３、気泡検出器４及びシリンジポンプ５等が配設されるとともに、当該上面１ｂより上方に液晶モニタ６が配設されている。
【００１７】
更に、装置本体１は、血液回路に接続されたダイアライザを支持可能とされており、当該ダイアライザに対して透析液を供給するとともにダイアライザからの排液を排出し得るよう構成されている。しかして、装置本体１の内部には、図２、３で示すように、一対の板材７ａ、７ｂを所定寸法ｔだけ離間しつつ対向配置させ、各種接続手段１０が板材７ａ、７ｂに支持されている。尚、本実施形態においては、便宜上、接続手段として弁（背圧弁等）のみが支持されているが、他の接続手段としてポンプ又はチャンバを支持してもよい。
【００１８】
板材７ａ、７ｂの離間部には、血液浄化治療に係わる液体（透析液や排液、或いは補液等）を流通させるための流路を構成する可撓性チューブ８が配設されているとともに、例えばポリウレタンから成る断熱材１１（充填材）が充填されている。かかる板材７ａ、７ｂ内に可撓性チューブ８及び断熱材１１を具備させて一体化したものを「配管ユニットＹ」と称することとし、当該配管ユニットＹが装置本体１内に収容されつつ当該装置本体１に対して脱着自在とされている。
【００１９】
流路を構成する可撓性チューブ８は、継手９により任意方向に接続されつつ一対の板材７ａ、７ｂの離間部内に配設されている。即ち、所望形状の継手９に可撓性チューブ８を接続させて流路を形成することにより、一対の板材７ａ、７ｂ間において所望方向に流路を延設させることができるのである。これにより、可撓性チューブ８を流路として透析液や排液等が流通することにより、血液浄化治療を行わせ得るようになっているのである。
【００２０】
また、板材７ａ、７ｂの任意位置からは、図４で示すように、接続ポートＰが突出形成されており、当該接続ポートＰを介して接続手段１０が接続されつつ支持されている。かかる接続ポートＰは、板材７ａ、７ｂの所定位置に形成された孔（図５参照）に挿通されて位置決めされており、その先端側に接続手段１０が接続可能とされている。尚、接続ポートＰを板材７ａ、７ｂに接着材やビスなどにて固定してもよい。
【００２１】
然るに、接続ポートは、図９に示すように、板材７ａ、７ｂと一体成形されたもの（接続ポートＰ’）から成るものとしてもよい。かかる接続ポートＰ’は、同図に示すように、板材７ａ（板材７ｂも同様）から一体的に外側に突出した部位と内側に突出した部位とから成り、外側に突出した部位の先端側に接続手段１０が接続されるとともに、内側に突出した部位の先端側に可撓性チューブ８が接続されるよう構成されている。
【００２２】
接続手段１０は、既述のように流路を構成する可撓性チューブ８に接続されるポンプ、弁又はチャンバから成る所謂機能部品から成るものであり、当該可撓性チューブ８を流れる液体に対して所定の作用を及ぼし得るものである。尚、板材７ａ、７ｂに金属製のステーを固定させ、かかるステーに接続手段１０を載置及び固定させるよう構成してもよい。更に、配管ユニットＹに把持部を取り付け、搬送を容易とするよう構成してもよい。
【００２３】
一方、板材７ａ、７ｂは、透明又は半透明の硬質樹脂から成るものであり、図５で示すように、継手９にて所望形状に接続された可撓性チューブ８を挟み込みつつ近接させ、図６に示すように、互いの離間寸法がｔとなった位置で固定されるようになっている。この離間寸法ｔは、既述の断熱材１１が充填されることにより維持されるものであってもよく、或いは図７に示すように、一対の板材７ａ、７ｂを挿通させて固定可能なボルトＢにて維持されるものであってもよい。
【００２４】
一対の板材７ａ、７ｂの離間寸法ｔは、可撓性チューブ８で構成される流路の配管容積等を勘案して設定される。然るに、本実施形態によれば、所定寸法ｔ離間しつつ対向配設された一対の板材７ａ、７ｂを有し、当該板材７ａ、７ｂの離間部に可撓性チューブ８で構成される流路が形成されるとともに、当該流路に接続すべきポンプ、弁又はチャンバから成る接続手段１０が当該板材７ａ、７ｂに支持されたので、板材７ａ、７ｂの離間寸法ｔを流路に応じて適宜設定すれば、装置本体１内の配管スペースを小さく設定することができる。
【００２５】
更に、配管ユニットＹとして配管をユニット化させているので、取り扱いを容易とすることができる。即ち、本実施形態においては、装置本体１から配管ユニットＹを取り出してメンテナンス等を行うことができるので、当該メンテナンスが容易とされ、作業性を向上することができるのである。尚、配管ユニットＹを予め用意しておくことにより、治療中又は治療前の装置本体１の配管に不具合が生じた際、配管ユニットＹを交換することにより早急な対応を図ることができる。
【００２６】
また、板材７ａ、７ｂの離間部に断熱材１１を充填させて成るので、当該板材７ａ、７ｂの離間寸法ｔを維持することができるとともに、流路（可撓性チューブ８）を流通する液体の放熱を抑制することができる。断熱材１１に代えて断熱効果のない或いは乏しい充填材とすることができる。この場合であっても、板材の離間部に充填材を充填させて成るので、当該板材の離間寸法を維持することができるとともに、当該離間部に流路を確実に保持させることができる。
【００２７】
更に、板材７ａ、７ｂは硬質樹脂から成るので、当該板材７ａ、７ｂをステンレス等の金属で構成したものに比べ、配管の軽量化を図ることができるとともに、剛性を向上させて当該板材７ａ、７ｂに対して接続手段１０を確実に支持させることができる。尚、流路は、継手９により任意方向に接続された可撓性チューブ８から成るので、従来より用いられていた可撓性チューブを流路として流用することができる。
【００２８】
然るに、配管ユニットＹを一体として装置本体１から取り出すことができ、メンテナンスや分解を装置本体１外の作業台等で行うことができ、従来の如く装置本体１内で接続手段の可撓性チューブからの離脱作業等を行うものに比べ、作業性を格段に向上させることができる。また、接続すべき接続手段を適宜組み合わせることで、任意仕様の配管ユニットとすることができる。従って、接続手段が種々形態で接続された配管ユニットを在庫として大量に保管する必要性もなくなり、製造コストを低減することができるとともに、装置本体の組み付け工程におけるリードタイムを短縮することができる。
【００２９】
以上、本実施形態について説明したが、本発明はこれらに限定されず、例えば一対の板材７ａ、７ｂの離間部に配設する流路として、図８に示すようなシート状のもの（シート状部材に複数の流路Ａが一体成形されたもの）としてもよい。また、接続手段１０のうち通電が必要なもの（例えば電磁弁やポンプ等）の配線が配管ユニットＹに集約されたものとすることができる。このように、接続手段のうち通電が必要なものの配線を配管ユニットＹに集約させれば、配線の一括した脱着を可能とし、装置本体１に対する配管ユニットＹの脱着をより容易としてメンテナンス等を更に容易に行わせることができる。
【００３０】
尚、透析液の作製等を装置本体毎に行う個人用透析装置の他、他の装置（溶解装置等）にて作製された透析液が導入され透析治療等の血液浄化治療を行い得る監視装置等にも適用することができる。
【産業上の利用可能性】
【００３１】
所定寸法離間しつつ対向配設された一対の板材を有し、当該板材の離間部に流路が形成されるとともに、当該流路に接続すべきポンプ、弁又はチャンバから成る接続手段が当該板材に支持された血液浄化装置であれば、外観形状が異なるもの或いは他の機能が付加されたもの等にも適用することができる。
【図面の簡単な説明】
【００３２】
【図１】本発明の実施形態に係る血液浄化装置を示す正面図
【図２】本発明の実施形態に係る血液浄化装置における配管ユニットを示す斜視図
【図３】同配管ユニットを示す正面図
【図４】図３におけるＩＶ−ＩＶ線断面図
【図５】同配管ユニットの組み付け過程を示す斜視図
【図６】同配管ユニットの組み付け過程を示す斜視図
【図７】同配管ユニットにおける板材の組み付け方法の一例を示す模式図
【図８】本発明の他の実施形態における血液浄化装置における配管ユニットの流路を示す模式図
【図９】本発明の他の実施形態における血液浄化装置における配管ユニットの接続ポートを示す模式図
【符号の説明】
【００３３】
１    装置本体
２    血液ポンプ
３    補液ポンプ
４    気泡検出器
５    シリンジポンプ
６    液晶モニタ
７ａ、７ｂ    板材
８    可撓性チューブ（流路）
９    継手
１０  接続手段
１１  断熱材
Ｙ    配管ユニット
ｔ    離間寸法
【図１】
0005064951.tif 000002
【図２】
0005064951.tif 000003
【図３】
0005064951.tif 000004
【図４】
0005064951.tif 000005
【図５】
0005064951.tif 000006
【図６】
0005064951.tif 000007
【図７】
0005064951.tif 000008
【図８】
0005064951.tif 000009
【図９】
0005064951.tif 000010